(57)【要約】【課題】複数のファクシミリ基板が接続される場合であっても、放射ノイズを軽減するとともに、共通化されたファクシミリ基板およびファクシミリ装置を提供する。【解決手段】基本クロック信号を出力する発振器と、前記基本クロック信号の周波数を変調することにより変調クロック信号を生成する変調手段と、前記変調クロック信号が入力されるとともに、入力された変調クロック信号に同期して送受信した信号を変復調するモデムと、前記モデムに入力される変調クロック信号の強度の最大値をとる周波数を、他のファクシミリ基板に備えられたモデムに入力される変調クロック信号の強度の最大値をとる周波数と相違させる制御手段と、を備える。【選択図】図５
2008005013.tif 000002
【特許請求の範囲】
【請求項１】
基本クロック信号を出力する発振器と、
前記基本クロック信号の周波数を変調することにより変調クロック信号を生成する変調手段と、
前記変調クロック信号が入力されるとともに、入力された変調クロック信号に同期して送受信した信号を変復調するモデムと、
前記モデムに入力される変調クロック信号の強度の最大値をとる周波数を、他のファクシミリ基板に備えられたモデムに入力される変調クロック信号の強度の最大値をとる周波数と相違させる制御手段と、
を備えるファクシミリ基板。
【請求項２】
請求項１に記載のファクシミリ基板を複数備えるファクシミリ装置。
【請求項３】
基本クロック信号を出力する発振器と、前記基本クロック信号の周波数を変調することにより変調クロック信号を生成する変調手段と、前記変調クロック信号が入力されるとともに、入力された変調クロック信号に同期して送受信した信号を変復調するモデムとを有する複数のファクシミリ基板と、
前記複数のファクシミリ基板に備えられた各モデム毎に、前記変調手段によって生成された変調クロック信号の強度の最大値をとる周波数を相違させる制御手段と、
を備えることを特徴とするファクシミリ装置。
【請求項４】
前記変調手段が、スペクトラム拡散クロックジェネレータからなるとともに、
前記制御手段が、前記スペクトラム拡散クロックジェネレータに対して、スプレッドの適用を切り替える
請求項２又は３に記載のファクシミリ装置。
【請求項５】
ファクシミリ基板が接続されているかを検出する検出手段を備えるとともに、
前記制御手段が、前記検出手段の検出結果に基づいて、前記スペクトラム拡散クロックジェネレータに対して、センタースプレッドとダウンスプレッドの適用を切り替える
請求項４に記載のファクシミリ装置。
【請求項６】
２つのファクシミリ基板が接続されているかを検出する検出手段を備えるとともに、
前記制御手段が、前記検出手段の検出結果に基づいて、一方のファクシミリ基板に備えられた前記スペクトラム拡散クロックジェネレータについてはセンタースプレッドを適用し、他方のファクシミリ基板に備えられた前記スペクトラム拡散クロックジェネレータについてはダウンスプレッドを適用する
請求項５に記載のファクシミリ装置。
【発明の詳細な説明】
【技術分野】
【０００１】
本発明は、ファクシミリ基板及びファクシミリ装置に関し、詳しくは、本体基板に複数接続されるファクシミリ基板及びこれを備えたファクシミリ装置に関する。
【背景技術】
【０００２】
従来から、複数回線に対応することができるファクシミリ装置が知られている。このようなファクシミリ装置は、例えば装置本体に内蔵された本体基板に、オプション用のファクシミリ基板が追加接続されることにより、複数の回線に対応可能となっている。
【０００３】
ファクシミリ基板には、同期信号となるクロック信号を発振するための発振器が搭載されている。発振器の構成は、基板の生産性を向上するために共通化されており、発振するクロック信号の周波数は同一となっている。
【０００４】
このため、複数回線対応型のファクシミリ装置においては、同一の周波数をもつクロック信号が重なり合って、その結果放射ノイズが増加する傾向にあった。放射ノイズは、周波数によって他の電子機器に誤作動や性能低下などの悪影響を及ぼす場合があり、例えばテレビの画像を乱したり、携帯電話の電波を乱すといった不具合を引き起こす原因となっていた。このため、放射ノイズに対する種々の基準が設けられており、これらの基準を満たさない限り、製品として上記基準を満たすことを示す規格を取得することができなかった。
【０００５】
そこで、上記基準を満たすため放射ノイズに対する様々なＥＭＩ（Ｅｌｅｃｔｒｏ  Ｍａｇｎｅｔｉｃ  Ｉｎｔｅｒｆｅｒｅｎｃｅ）対策がとられている。
【０００６】
例えば、ＥＭＩ対策の最も基本的なものの一つとして、複数の基板ごとに周波数の異なる発振器を搭載する方法がとられている。この方法によれば、複数のクロック信号の周波数が相互にずれる結果、周波数が互いに干渉しあって放射ノイズが重なり合うのを防止することが出来る。
【０００７】
また、一般的に本体基板とファクシミリ基板とを接続するケーブルにフェライトコアを装着する対応策もとられている。この対応策によれば、ケーブルにノイズとなる高周波電流が流れた場合であっても、フェライトコアが放射ノイズのエネルギを吸収して熱に変え、ケーブルから発生する放射ノイズを抑えるようにしている。
【０００８】
さらに、例えば特開２００１−１１１７４５号公報に記載されているように、スペクトラム拡散クロックジェネレータ（以下、ＳＳＣＧという。）を用いる対応策もとられている。ＳＳＣＧを用いることで、クロック信号の周波数をわずかに拡散させて発振させることができ、各基本クロック信号が放射する放射ノイズを低く抑えることができるという効果が期待されている。
【特許文献１】特開２００１−１１１７４５号公報
【発明の開示】
【発明が解決しようとする課題】
【０００９】
ところが、上述のような対応策をとるにしても、依然として以下のような問題点が残っていた。
【００１０】
まず、複数の基板ごとに周波数の異なる発振器を搭載する方法についてであるが、このように構成が異なる基板は、大量生産に適していないことから生産性を低下させ、結果として生産コストを高める原因の一つになっていた。
【００１１】
また、上述のようにフェライトコアを用いることによって放射ノイズを軽減することが出来るのであるが、フェライトコアは、ファクシミリ装置を構成する上で本来不必要な部品であり、生産コストを高める要因となっていた。
【００１２】
さらに、ＳＳＣＧを使用する場合については、各基本クロック信号によって輻射されるそれぞれの放射ノイズは軽減することが出来るのであるが、それらのノイズが重なり合うことによって増大する放射ノイズは軽減することができていなかった。
【００１３】
本発明は、上記従来の問題を解決するために提案するものであって、複数のファクシミリ基板を接続する場合であっても、基板を共通化することが可能であり、かつ、複数の基本クロック信号が重なり合うことによる放射ノイズの増大を回避することができるファクシミリ基板及びこれを備えたファクシミリ装置を提供することを目的とする。
【課題を解決するための手段】
【００１４】
本発明のファクシミリ装置は、複数のファクシミリ基板が接続されることを前提としている。そして、このようなファクシミリ装置において、基本クロック信号を出力する発振器と、前記基本クロック信号の周波数を変調する変調手段と、送受信した信号を変復調するモデムとを有するファクシミリ基板が備えられている。発振器から出力された基本クロック信号は、変調手段によって変調クロック信号に変調された後、モデムへと入力される。モデムは、この変調クロック信号に同期しながら送受信した信号を変復調する。
【００１５】
また、本発明のファクシミリ装置の重要な点として、前記ファクシミリ基板に、前記変調手段による周波数の変調を制御する制御手段が備えられている。この制御手段は、前記モデムに入力される変調クロック信号の強度の最大値をとる周波数を、他のファクシミリ基板に備えられたモデムに入力される変調クロック信号の強度の最大値をとる周波数と相違させる。
【００１６】
上記構成によれば、変調手段により生成された変調クロック信号は、複数のファクシミリ基板毎に周波数が異なるため、同一の周波数の放射ノイズが重なり合うことがなく、放射ノイズが大きくなるのを防ぐことが出来る。また、従来のように異なる周波数をもつクロック信号を発振する発振器を配設する必要はないので、ファクシミリ基板を全て同一の構成とすることができる。これにより、ファクシミリ基板を同一ラインで生産でき、結果として生産コストを抑えることが出来る。
【００１７】
なお、制御手段は、ファクシミリ基板ではなく本体基板に設けることもでき、その場合は、本体基板の制御手段が前記変調手段の制御を行うこととなる。
【００１８】
また、基本クロック信号の周波数を変調する変調手段として、スペクトラム拡散クロックジェネレータ（以下、ＳＳＣＧという）を用いることができる。ＳＳＣＧは、センタースプレッドとダウンスプレッドの適用を切り替えることができるようになっている。そして、制御手段は、例えば1回線目に対応するファクシミリ基板のクロック信号についてはセンタースプレッドを適用し、２回線目に対応するファクシミリ基板のクロック信号についてはダウンスプレッドを適用させる構成とする。これにより、２つのファクシミリ基板から発振されるクロック信号の周波数は異なることとなり、放射ノイズを軽減することが出来る。
【００１９】
さらに、本発明において、ファクシミリ基板が接続されているかを検出する検出手段を備えるとともに、前記制御手段が、前記検出手段の検出結果に基づいて、前記スペクトラム拡散クロックジェネレータに対して、センタースプレッドとダウンスプレッドの適用を切り替えるようにしてもよい。
【００２０】
上記構成によれば、ファクシミリ基板が接続された場合に、検出手段の検出結果により、センタースプレッドとダウンスプレッドの適用が自動的に切り替えるよう制御されるため、ユーザーがファクシミリ基板の接続時のたびにスプレッドの適用の設定を行うという手間を省くことが出来る。
【発明の効果】
【００２１】
以上のような構成を採用することにより、本発明では、複数のファクシミリ基板を接続する場合であっても、放射ノイズを回避するとともに、基板の構成を共通化することで同一の生産ラインで生産することを可能とするファクシミリ基板及びこれを備えたファクシミリ装置を提供することが出来る。
【発明を実施するための最良の形態】
【００２２】
以下、添付図面を参照して、本発明の実施の形態につき説明し、本発明の理解に供する。
【００２３】
図１は、本実施形態におけるファクシミリ装置の全体構成図である。本実施の形態のファクシミリ装置１００は、ファクシミリ機能とコピー機能を併有するいわゆるデジタル複合機として具体化されており、画像読取部１０１、画像形成部１０２、を備えており、それぞれが本体基板１２０に制御される。
【００２４】
即ち、画像読取部１０１は、原稿台１０５上の原稿の画像情報を読み取るためのものであり、光源１０６ａ、ミラー１０６ｂ、ＣＣＤ１０６ｃ等からなる光学ユニット１０６を有している。光源１０６ａから照射された光は原稿台１０５上の原稿に反射し、ミラー１０６ｂを介してＣＣＤ１０６ｃへと導かれる。ＣＣＤ１０６ｃは、入射された光を光電変換することで、原稿の画像データを生成することができる。
【００２５】
画像形成部１０２は、給紙カセット１０７から給紙される用紙に対して画像形成を行うためのものであり、感光体ドラム１０８と、その周囲に配置された帯電器１０９、露光器１１０、現像器１１１及び転写器１１２等と、その下流側に配置された定着装置１１３とを有している。感光体ドラム１０８表面を帯電器１０９によって帯電し、引き続いて露光器１１０により画像データに応じて光を照射することで、感光体ドラム１０８上に静電潜像を形成する。そして、現像器１１１が前記静電潜像にトナーを付着することで、感光体ドラム１０８上にトナー像が形成され、その後トナー像は転写器１１２によって用紙に転写される。このようにして、ファクシミリ装置１００における画像形成処理が行われる。
【００２６】
次に、ファクシミリ基板２１０が前記本体基板１２０に接続される場合について説明する。図２は、本実施形態におけるファクシミリ基板と本体基板との接続箇所を示す斜視図である。図３は、本実施形態におけるファクシミリ基板と本体基板との接続箇所を示す断面図である。
【００２７】
前記ファクシミリ装置１００は、複数のファクシミリ回線に対応可能となっており、ファクシミリ装置１００に設けられた本体基板１２０には、1回線目に対応する第1ファクシミリ基板２１０ａと、２回線目に対応する第２ファクシミリ基板２１０ｂが、それぞれ着脱可能に取り付けられている。
【００２８】
本体基板１２０には、ファクシミリ基板２１０（２１０ａ、２１０ｂ）を挿入するために形成された凹部２０２ａを有する複数のコネクタ２０２が設けられている。図３Ａに示すように、凹部２０２ａ内には、例えばくの字状に形成された２本の鋼材からなる接続ピン２０３が配設されている。この接続ピン２０３は、構成が同一である第１接続ピン及び第２接続ピンからなっている。各接続ピン２０３は、凹部２０２ａの内側に向かって曲折して突出する曲折部２０３ａを備えている。また、各接続ピン２０３の一端部２０３ｂは、本体基板１２０に設けられた貫通孔を貫通し、図示しない導線によって後述するＣＰＵに電気的に接続されている。
【００２９】
また、凹部２０２ａ内には、ファクシミリ装置１００からファクシミリ基板２１０上の集積回路に電源を供給するための電源供給ピンが備えられている。電源供給ピンの構成は、前記接続ピン２０３の構成と同様となっている。
【００３０】
各ファクシミリ基板２１０ａ、２１０ｂは、複数の集積回路が実装された薄板状の部材からなり、接続端子２１１を備えている。この接続端子２１１は、第１接続端子２１１ａと第２接続端子２１１ｂから構成されており、両接続端子２１１ａ、２１１ｂとも図示しない導線により後述するＣＰＵ３１４と電気的に接続されている。第１接続端子２１１ａは第１接続ピンに接続し、第２接続端子２１１ｂは第２接続ピンと接続する。
【００３１】
図３Ｂは、接続端子２１１と接続ピン２０３の接続状態を示した図である。接続端子２１１は、凹部２０２ａ内に挿入されると、接続ピン２０３の曲折部２０３ａにより両側から付勢されて挟持された状態を維持する。
【００３２】
また、各ファクシミリ基板２１０ａ、２１０ｂは、ファクシミリ装置１００から電圧を印加するための電源端子２１２を備えている。電源端子２１２が前記電源供給ピンに接続されることで、ファクシミリ装置１００からの電圧がファクシミリ基板２１０の各集積回路に供給される。なお、電源端子２１２と電源供給ピンの接続方法は、接続端子２１１と接続ピン２０３の接続方法と同様である。
【００３３】
以上のようにして、第１及び第２ファクシミリ基板２１０ａ、２１０ｂは、本体基板１２０に接続される。
【００３４】
図４は、本実施形態におけるファクシミリ装置１００の概略構成図である。
【００３５】
ファクシミリ装置１００は、ＣＰＵ（Central Processing Unit）４０１、ＲＡＭ（Random Access Memory）４０２、ＲＯＭ（Read Only Memory）４０３、上記画像形成処理等における各駆動部が内部バスを介して接続されている。上記ＣＰＵ４０１は、例えばＲＡＭ４０２を作業領域として利用し、ＲＯＭ４０３に記憶されているプログラムを実行し、当該実行結果に基づいて、同じくＲＯＭ４０３に記憶されている、各駆動部に対応するドライバとデータや命令を授受することにより各駆動部の動作を制御する。
【００３６】
また、ファクシミリ基板２１０にも本体基板１２０と同様に、ＣＰＵ４１４、ＲＡＭ４１５、ＲＯＭ４１６が備えられている。さらに、ファクシミリ基板２１０は、発振器４１１と、ＳＳＣＧ４１２と、モデム４１３を備えている。そして、これらに対応するドライバが前記ＲＯＭ４０３等に格納されており、前記ＣＰＵ４１４が、これらのドライバとデータや命令を授受することにより、発振器４１１、ＳＳＣＧ４１２、モデム４１３等の動作を制御する。
【００３７】
なお、第１ファクシミリ基板２１０ａと第２ファクシミリ基板２１０ｂとは、本体基板１２０にそれぞれ別々に接続されているが、ファクシミリ基板２１０自体は同一の構成となっている。このように、複数のファクシミリ基板２１０ａ、２１０ｂが同一の構成になっていることから、同一の生産ラインにより生産することができ、結果として生産性を向上させることが出来るようになっている。
【００３８】
次に、ファクシミリ装置１００におけるファクシミリの通信手順について説明する。図５は、本実施形態におけるファクシミリ装置１００の制御関連を示すブロック図である。
【００３９】
発振器４１１は、例えば３０ＭＨｚの周波数をもつ基本クロック信号を出力し、その出力された基本クロック信号はＳＳＣＧ４１２へと入力される。
【００４０】
ＳＳＣＧ４１２は、入力された基本クロック信号の周波数を変調させて変調クロック信号を生成する変調手段として用いられている。このＳＳＣＧ４１２の変調により、複数のモデム４１３から輻射される各基本クロック信号の放射ノイズを、それぞれ低く抑えることができる。
【００４１】
また、ＳＳＣＧ４１２による周波数の変調は、基本クロック信号の周波数を中心としてスペクトラムを拡散するセンタースプレッドと、基本クロック信号の周波数を上限にスペクトラムを拡散するダウンスプレッドの２種類のスプレッドを適用することができるようになっている。
【００４２】
センタースプレッドと、ダウンスプレッドの適用の切替方法については以下の通りである。
【００４３】
まず、検出手段５０２により、ファクシミリ基板２１０が本体基板１２０に接続されているかという接続の有無が検出される。さらに、ファクシミリ基板２１０が接続されている場合には、本体基板１２０のどの位置に接続されているかという接続位置も検出される。検出手段５０２は、本体基板１２０のＣＰＵ４０１がＲＯＭ４０３に格納されたプログラムを実行することにより動作する。
【００４４】
ファクシミリ基板２１０の接続の有無は、接続端子２１１と接続ピン２０３が接触することによって、本体基板１２０の電子回路の抵抗値が高い値を示すか否かで検出することができるようになっている。すなわち、接続端子２１１と接続ピン２０３の接触によって、ファクシミリ基板２１０と本体基板１２０とが電気的に接続すると、ファクシミリ基板２１０の集積回路が通電され、本体基板１２０の電子回路の抵抗値が高い値を示すこととなる。
【００４５】
また、接続ピン２０３と接続端子２１１の電気的接続によって、本体基板１２０に接続されているのが第１ファクシミリ基板２１０ａであるか第２ファクシミリ基板２１０ｂであるかを検出することができるようになっている。例えば、第１ファクシミリ基板２１０ａが挿入されるコネクタ２０２は、第１接続ピンのみが電気的に接続可能となっている。したがって、第１接続ピンと第１接続端子２１１ａが電気的に接続した場合は、第１ファクシミリ基板２１０ａが接続されたこと示していることとなる。他方、第２ファクシミリ基板２１０ｂが挿入されるコネクタ２０２は、第２接続ピンのみが電気的に接続可能となっている。したがって、第２接続ピンと第２接続端子２１１ｂが電気的に接続した場合は、第２ファクシミリ基板２１０ｂが接続されたことを示していることとなる。
【００４６】
このようにして、検出手段５０３によって、第１ファクシミリ基板２１０ａが本体基板１２０に接続されていることが検出された場合、検出した旨の信号が第１ファクシミリ基板２１０ａの制御手段５０１へと送信される。検出信号を受信した制御手段５０１は、ＳＳＣＧ４１２ａに対して例えばセンタースプレッドを適用する旨の命令を出す。
【００４７】
第１ファクシミリ基板２１０ａに続いて第２ファクシミリ基板２１０ｂが接続された場合も、同じようにして、検出手段５０３が接続の有無を検出し、検出した場合は、その検出信号を制御手段５０１に送信する。検出信号を受信した制御手段５０１は、ＳＳＣＧ４１２ｂに対して例えば前記第１ファクシミリ基板２１０ａと異なるスプレッド、即ちダウンスプレッドを適用する旨の命令を出す。
【００４８】
以上のようにして、第１ファクシミリ基板２１０ａのＳＳＣＧ４１２ａに対しては、センタースプレッドを適用し、第２ファクシミリ基板２１０ｂのＳＳＣＧ４１２ｂに対しては、ダウンスプレッドを適用する。これにより、第１ファクシミリ基板２１０ａのモデム４１３ａに入力される変調クロック信号と、第２ファクシミリ基板２１０ｂのモデム４１３ｂに入力される変調クロック信号とでは、信号の強度の最大値をとる周波数が異なる値となり、その結果、クロック信号が重なり合って放射ノイズが増大するのを抑制する事ができる。
【００４９】
その後、ＳＳＣＧ４１２により変調された変調クロック信号は、モデム４１３へと入力される。モデム４１３は、この変調クロック信号に同期して、例えば電話回線５０６から画像データを受信するとともに、その画像データを復調する。復調された画像データは、受信メモリ５０４に送信されてそこで一時的に記憶される。
【００５０】
受信メモリ５０４に一時記憶された画像データは、本体基板１２０の印刷メモリ５０５に転送され、その後印刷メモリ５０５から読み出されて前記画像形成部１０２により印刷される。
【００５１】
図６は、ＳＳＣＧ４１２によって変調された変調クロック信号を示す図である。横軸は変調クロック信号の周波数を、縦軸は変調クロック信号の強度を示す。
【００５２】
第1ファクシミリ基板２１０ａはセンタースプレッドが適用されるため、基本クロック信号の周波数３０ＭＨｚを中心としてスペクトラムが拡散されている（図６Ａ）。変調クロック信号の周波数変動幅は、３０ＭＨｚを中心に±０.０１％、すなわち２９.９９８５ＭＨｚから３０.００１５ＭＨｚの変動幅となっている。
【００５３】
第２ファクシミリ基板２１０ｂはダウンスプレッドが適用されるため、基本クロック信号の周波数３０ＭＨｚを上限としてスペクトラムが拡散されている（図６Ｂ）。基本クロック信号の周波数変動幅については、センタースプレッドと同様、基本クロック信号の周波数から±０.０１％、すなわち２９.９９８５ＭＨｚを中心に２９.９９７０ＭＨｚから３０.０００ＭＨｚの変動幅となっている。
【００５４】
変調クロック信号の周波数変動幅は、例えば、０．０１％、０．１％、０．３％、０．５％等いくつかの数値から選択可能であって、ＳＳＣＧ４１２の外部ピン処理等によって可変設定することができるようになっている。
【００５５】
第１ファクシミリ基板２１０ａから発振される変調クロック信号の強度は、周波数が３０．００００ＭＨｚにおいて最大となっている。これに対して、第２ファクシミリ基板２１０ｂから発振される変調クロック信号の強度は、周波数が２９．９９８５ＭＨｚにおいて最大となっている。
【００５６】
このように、ファクシミリ基板２１０毎にモデム４１３に入力される変調クロック信号の強度の最大値をとる周波数が異なっているため、変調クロック信号が重畳することはなく、放射ノイズが増大するのを抑えることが出来る。
【００５７】
なお、第１ファクシミリ基板２１０ａと第２ファクシミリ基板２１０ｂとの変調クロック信号の周波数は、重複しないことが望ましいが、本実施形態のように一部重複している範囲（２９．９９８５ＭＨｚから３０.００００ＭＨｚ）があっても、変調クロック信号の強度の最大値がずれている限り、放射ノイズを大きく軽減することができる。
【００５８】
以上のように、ファクシミリ基板２１０に搭載されているＳＳＣＧ４１２のスプレッドの種類をファクシミリ基板２１０毎に切り替えることで、モデム４１３ごとに入力されるクロック信号の周波数を異ならせることが出来、同一の周波数の放射ノイズが重なり合うことによる放射ノイズの増大を防ぐことが出来る。
【００５９】
また、従来のように異なる周波数をもつクロック信号を発振する発振器４１１を配設する必要はないので、ファクシミリ基板２１０を全て同一の構成とすることができる。これにより、ファクシミリ基板２１０を同一の生産ラインで生産することができ、結果として生産コストを抑えることが出来る。
【００６０】
さらに、本来不要なフェライトコア等のＥＭＩ対策用の部品を必ずしも使用する必要はなく、結果として、製造コストを削減することが出来る。
【００６１】
尚、上述した実施の形態は、本発明を具体化した一例であって、本発明の技術的範囲を限定する性格のものではない。
【００６２】
次に、別の実施の形態におけるファクシミリ装置について説明する。図７は、別の実施形態におけるファクシミリ装置の概略構成図である。図８は、別の実施形態におけファクシミリ装置の制御関連を示すブロック図である。
【００６３】
ファクシミリ基板７１０には、発振器７１１、ＳＳＣＧ７１２、モデム７１３が設けられている。これらの構成については、上述と同様なので説明は省略する。本実施形態のファクシミリ基板７１０が、上述の実施形態のファクシミリ基板２１０と異なる点は、制御手段８０１及び検出手段８０２が、本体基板７００に備えられている点である。すなわち、上述の実施形態においては、ＳＳＣＧ４１２のセンタースプレッドとダウンスプレッドの適用の切替は、ファクシミリ基板２１０に備えられた制御手段５０１により制御されているのに対して（図５）、本実施形態では、本体基板７００に備えられた制御手段８０１により制御される。
【００６４】
以下、ファクシミリの通信手順について説明する。
【００６５】
まず、検出手段８０２は、本体基板７００に接続されたファクシミリ基板７１０の数を検出する。検出方法については、上述と同様に、電源端子が電源供給ピンに接触することによって検出される。その結果、検出手段８０２が第１ファクシミリ基板７１０ａ及び第２ファクシミリ基板７１０ｂの２つのファクシミリ基板７１０が接続されていることを検出すると、その旨の検出信号を本体基板７００に備えられた制御手段８０１に送信する。
【００６６】
検出信号を受信した制御手段８０１は、例えば、第１ファクシミリ基板７１０ａにはセンタースプレッドを適用する旨の命令を出す。これに対して第２ファクシミリ基板７１０ｂには、第１ファクシミリ基板７１０ａにおいて適用されたセンタースプレッドと異なるスプレッド、即ちダウンスプレッドを適用する旨の命令を出す。
【００６７】
以上のようにして、第１ファクシミリ基板７１０ａと第２ファクシミリ基板７１０ｂとでは、異なるスプレッドを適用することで変調クロック信号の周波数を異ならせることができる。その結果、ファクシミリ基板の構成を共通化しつつ、放射ノイズの増大を抑制することが出来る。
【産業上の利用可能性】
【００６８】
本発明にかかるファクシミリ基板及びファクシミリ装置は、放射ノイズを低減するとともに、生産性の向上を図ることが出来、ファクシミリ装置のみならず、ファクシミリ機能を有する複写機やプリンタ、複合機など様々な機器に有用である。
【図面の簡単な説明】
【００６９】
【図１】本実施の形態におけるファクシミリ装置の全体構成図。
【図２】本実施の形態におけるファクシミリ基板と本体基板の接続箇所の斜視図。
【図３】本実施の形態におけるファクシミリ基板と本体基板の接続箇所の断面図。
【図４】本実施の形態におけるファクシミリ装置の概略構成図。
【図５】本実施の形態における制御関連の構成を示す概略ブロック図。
【図６】本実施の形態における変調クロック信号を説明するための図。
【図７】別の実施の形態におけるファクシミリ装置の概略構成図。
【図８】別の実施の形態における制御関連の構成を示す概略ブロック図。
【符号の説明】
【００７０】
１２０  本体基板
２０２  コネクタ
２０３  接続ピン
２１０  ファクシミリ基板
４０１  ＣＰＵ
４０２  ＲＡＭ
４０３  ＲＯＭ
４１１  発振器
４１２  ＳＳＣＧ
４１３  モデム
４１４  ＣＰＵ
４１５  ＲＡＭ
４１６  ＲＯＭ
５０１  制御手段
５０３  検出手段
【図１】
2008005013.tif 000003
【図２】
2008005013.tif 000004
【図３】
2008005013.tif 000005
【図４】
2008005013.tif 000006
【図５】
2008005013.tif 000007
【図６】
2008005013.tif 000008
【図７】
2008005013.tif 000009
【図８】
2008005013.tif 000010